(57)【要約】【課題】電気接続箱の取付孔近傍を小型化できる電線保持クランプを提供する。【解決手段】電線保持クランプ３０は、複数のワイヤハーネス１１を取付面２５に固定するために、取付面に設けられた複数の取付孔２６に対してそれぞれ挿入可能な挿入部３２と、各挿入部３２に跨って掛け渡される架設部３４とを備え、各挿入部３２が各取付孔２６に係止係合可能で、取付孔の内面２７に設けられた段差部２８に係合可能な可撓片３７を有する係合部３６が挿入部３２に設けられている。【選択図】  図４
2004242436.tif 000002
【特許請求の範囲】
【請求項１】
複数の電線を取付面に固定するために、前記取付面に設けられた複数の取付孔に対してそれぞれ挿入可能な挿入部と、前記各挿入部に跨って掛け渡される架設部とを備え、
前記各挿入部が前記各取付孔に係止係合可能な電線保持クランプであって、
前記架設部が、前記複数の電線における必要個所のみ押さえて固定可能であることを特徴とする電線保持クランプ。
【請求項２】
前記取付孔の内面に設けられた段差部に係合可能な可撓片を有する係合部が前記挿入部に設けられていることを特徴とする請求項１に記載した電線保持クランプ。
【請求項３】
前記各係合部が前記架設部の長手方向に沿った方向に設けられていることを特徴とする請求項２に記載した電線保持クランプ。
【発明の詳細な説明】
【０００１】
【発明の属する技術分野】
本発明は電線保持クランプに係り、特に自動車などのワイヤハーネスの接続に用いられる電気接続箱内で複数本のワイヤハーネスをまとめる電線保持クランプに関する。
【０００２】
【従来の技術】
従来より、自動車などに配策するワイヤハーネスを、合理的かつ経済的に接続するために電気接続箱が使用されている。（例えば、特許文献１参照。）。
【０００３】
【特許文献１】
特開２０００−３４１８３０号公報（第２頁、図１）
【０００４】
この電気接続箱の底部には、複数個のコネクタが備えられ、これらのコネクタにそれぞれワイヤハーネスの端部に備えたコネクタを接続する。
各々のコネクタを電気接続箱内に収納することで、各コネクタを雨滴などから保護する。
電気接続箱内において複数個のコネクタを接続するので、電気接続箱内には、複数本のワイヤハーネスが収納されることになる。
【０００５】
これら複数本のワイヤハーネスを電気接続箱内でばらけたままの状態にしておくと、自動車の振動などによる悪影響を受けることが考えられる。
このため、ばらけた複数本のワイヤハーネスを、電気接続箱内でまとめて固定する必要がある。
【０００６】
具体的には、電気接続箱内でばらけた複数本のワイヤハーネスを、コ字状の電線保持クランプを用いて電気接続箱の本体に固定する。この電線保持クランプは、電気接続箱を構成するボックス本体の取付面に設けられた複数の取付孔に対してそれぞれ挿入可能な複数の挿入部と、各挿入部に跨って掛け渡される架設部とを備えた略コ字状の部材である。
【０００７】
電線保持クランプの挿入部には多数の係止部が略鋸刃状に形成され、電気接続箱の取付孔には可撓片が形成されている。
電線保持クランプの挿入部を取付孔に挿入させると、各係止部が、取付孔の可撓片を順次可撓させて乗り越えて、所望位置で引き抜き不可能に係止される。
これにより、電気接続箱内でばらけた複数本のワイヤハーネスを、電線保持クランプを用いて電気接続箱のボックス本体に固定する。
【０００８】
【発明が解決しようとする課題】
しかしながら、従来の電線保持クランプを電気接続箱の取付孔に係止させるために、電線保持クランプの係止部に係止させる可撓片を取付孔内に備える必要がある。
【０００９】
このため、電気接続箱のボックス本体が複雑な形状になり、ボックス本体を樹脂成形する金型の複雑な形状になって、金型が高価になるという問題があった。
特に、取付孔には問題がある。すなわち、可撓片の可撓ストロークを取付孔内に確保する必要があるため、取付孔が大きくなる。このため、取付孔の近傍が大型化し、電気接続箱のボックス本体を小型化できないという問題があった。
【００１０】
本発明は、電気接続箱の取付孔近傍を小型化できる電線保持クランプを提供することにある。
【００１１】
【課題を解決するための手段】
前述した目的を達成するために、本発明は、請求項１に記載したように、複数の電線を取付面に固定するために、前記取付面に設けられた複数の取付孔に対してそれぞれ挿入可能な挿入部と、前記各挿入部に跨って掛け渡される架設部とを備え、前記各挿入部が前記各取付孔に係止係合可能な電線保持クランプであって、前記架設部が、前記複数の電線における必要個所のみ押さえて固定可能であることを特徴とする。
このように構成された電線保持クランプにおいては、架設部が複数の電線における必要個所のみ押さえて固定するため、小型化できるとともに、従来に比較して電線の湾曲自由度が高い。
【００１２】
また、本発明は、請求項２に記載したように、前記取付孔の内面に設けられた段差部に係合可能な可撓片を有する係合部が前記挿入部に設けられていることを特徴とする。
【００１３】
このように構成された電線保持クランプにおいては、挿入部の係合部に可撓片を設けることで、取付孔は、内面に段差部を設けるだけの簡素な簡素な形状になる。
よって、電気接続箱を簡素な形状にでき、電気接続箱を樹脂成形するために用いられる金型の設備費を抑えることができる。
加えて、取付孔の内面に段差部を設けるだけなので、取付孔を小さくでき、取付孔近傍の小型化が可能になり、電気接続箱を小型化できる。
【００１４】
また、本発明においては、請求項２に記載したように、前記各係合部が前記架設部の長手方向に沿った方向に設けられていることを特徴とする。
【００１５】
よって、電線保持クランプを金型（固定型および可動型）で射出成形する際に、可動型の型開き方向に対して平行に係合部を形成できる。
これにより、金型を簡素な構成にして、設備費を抑えることができる。
【００１６】
【発明の実施の形態】
以下、本発明に係る実施形態を図面に基づいて詳細に説明する。なお、以下に説明する各実施形態において、既に図１〜図３において説明した部材等については、図中に同一符号あるいは相当符号を付すことにより説明を簡略化しあるいは省略する。
【００１７】
図１〜図３に示すように電気接続箱１０は、自動車などに配策するワイヤハーネス（電線）１１を、合理的かつ経済的に分岐接続するための部材であり、ボックス本体１２の底部１３には、複数個のコネクタ１５が備えられ、これらのコネクタ１５にそれぞれワイヤハーネス１１の端部に備えたコネクタ１６を接続する。
なお、図３に示す電気接続箱１０は、ボックス本体１２の形状が図１、図２に示すボックス本体１２と若干が異なるが、本実施形態においては、同一部材として説明する。
【００１８】
各々のコネクタ１５，１６をボックス本体１２内に収納し、それぞれのワイヤハーネス１１を、ボックス本体１２の凹部１８から外側に取り出し、ボックス本体１２の開口１９を防水カバー（図示せず）で閉じることで、各々のコネクタ１５，１６が雨滴などから保護される。
【００１９】
ボックス本体１２の内部には、図３に示すように、矩形状に区画した複数のコネクタ収容部２０が壁面２１で形成されている。
そして、例えば各コネクタ収容部２０を区画する壁面２１の上部２２には、ロック手段２３が設けられている。これらの各ロック手段２３に係止される係止部（図示せず）を備えたコネクタ１６がロック手段２３に装着可能に構成されている。
【００２０】
この電気接続箱１０内に、複数個のコネクタ１５，１６を接続した際に、このままの状態では、複数本のワイヤハーネス１１がばらけた状態で収納されることになる。
そこで、電線保持クランプ３０を用いて、ばらけた複数本のワイヤハーネス１１を電気接続箱１０にまとめて固定する。
以下、電線保持クランプ３０について説明する。
【００２１】
図４に示すように第１実施形態の電線保持クランプ３０は、複数のワイヤハーネス１１を、電気接続箱１０、すなわちボックス本体１２の取付面２５（図３参照）に固定するために、取付面２５に設けられた複数の取付孔２６に対してそれぞれ挿入可能な一対の挿入部３２と、一対の挿入部３２に跨って掛け渡される架設部３４とを備え、一対の挿入部３２が各取付孔２６に係止係合可能な部材であり、架設部３４がワイヤハーネス１１における必要個所のみ押さえて固定する。
【００２２】
さらに、電線保持クランプ３０は、取付孔２６の内面２７で、取付面２５近傍に設けられた段差部２８に、係合可能な可撓片３７を有する係合部３６が、挿入部３２の外面３３に設けられている。
取付孔２６は、挿入部３２の断面形状に合わせて、矩形状に形成され、取付面２５近傍に突起２６Ａを形成することで、取付面２５近傍に段差部２８が設けられている。
なお、段差部２８は、これに限らないで、例えば図６に示すように、平板に取付孔２６を形成して、平板の裏面を段差部２８とすることも可能である。
【００２３】
挿入部３２は、断面を略矩形状に形成した部材で、外面３３に係合部３６を備え、先端が先細状に形成されている。
挿入部３２の先端を先細状に形成することで、挿入部３２を取付孔２６に挿入し易くできる。
架設部３４は、一対の挿入部３２の上端に掛け渡して、一対の挿入部３２を連結するものである。架設部３４で一対の挿入部３２の上端を連結することで、電線保持クランプ３０は断面略コ字形に形成される。
【００２４】
係合部３６は、複数（一例として、５個）の可撓片３７で構成されている。可撓片３７は、挿入部３２の外面３２から上がり勾配に形成され、弾性変形可能な片である。
挿入部３２の外面３３には、可撓片３７に対向する部位に凹部３８が形成されている。挿入部３２の外面３３に凹部３８を形成することで、可撓片３７が弾性変形した際に、可撓片３７を凹部３８内に逃がす。これにより、取付孔２６のサイズを小さく抑えることが可能になる。
【００２５】
係合部３６、すなわち複数個の可撓片３７は、架設部３４の長手方向に沿った方向に設けられている。
よって、図５に示すように、電線保持クランプ３０を固定型（図示せず）および可動型４０からなる金型を用いて射出成形する際に、可動型４０の型開き方向（矢印方向）に対して平行に可撓片３７を形成できる。
これにより、金型を簡素な構成にして、金型の設備費を抑えることができる。
【００２６】
この電線保持クランプ３０によれば、挿入部３２の係合部３６を可撓片３７で構成した。
よって、挿入部３２の係合部３６を、図４に示すように矢印方向に移動させて、取付面２５の取付孔２６に挿入することにより、可撓片３７が取付孔２６の突起２６Ａに当たって凹部３８内に弾性変形する。
【００２７】
可撓片３７が突起２６Ａを乗り越えると、可撓片３７は復元力で凹部３８内から外側に似突出する。これにより、挿入部３２を取付孔２６から引き抜こうとしても、可撓片３７が段差部２８に当たって、挿入部３２が取付孔２６から引き抜かれることを防止する。
よって、電線保持クランプ３０を用いて、電気接続箱１０のボックス本体１２内でばらけた複数本のワイヤハーネス１１をまとめて固定することができる。
【００２８】
このように、電線保持クランプ３０は、架設部３４がワイヤーハーネス１１における必要個所のみ押さえて固定するため、小型化できるとともに、従来に比較して電線の湾曲自由度が高い。
また、挿入部３２の係合部３６に可撓片３７を設けたので、取付孔２６は、内面２７に段差部２８を設けるだけの簡素な形状になる。
これにより、電気接続箱１０を樹脂成形するために用いられる金型の形状を簡素化させて設備費を抑えることができる。
加えて、取付孔２６の内面２７には、段差部２８を設けるだけなので、取付孔２６を小さくでき、取付孔２６近傍の小型化が可能になり、電気接続箱１０が小型化される。
【００２９】
なお、前記実施形態では、一対の挿入部３２の外面３３に係合部３６を形成した例について説明したが、これに限らないで、一対の挿入部３２の内面３９（図４参照）に係合部３６を形成することも可能である。
また、一対の挿入部３２のうち、一方の挿入部３２の外面３３に係合部３６を形成し、他方の挿入部３２の内面３９に係合部３６を形成することも可能である。
【００３０】
さらに、前記実施形態では、一対の挿入部３２を、直線状の架設部３４で連結することで、電線保持クランプ３０の形状を略コ字形とした例について説明したが、これに限らないで、十字状の架設部３４の端部に４本の挿入部３２を連結した電線保持クランプ３０とすることも可能である。
また、１０２°の等間隔で放射状に延ばした３本の架設部３４の端部に、それぞれ挿入部３２を連結した電線保持クランプ３０とすることも可能である。
【００３１】
さらに、前記実施形態では、係合部３６を、複数個の弾性変形可能な可撓片３７で構成した例について説明したが、これに限らないで、例えば、係合部３６を１個の可撓片３７で構成することも可能である。
【００３２】
さらに、本発明は、前述した実施形態に限定されるものでなく、適宜な変形，改良等が可能であり、前述した実施形態において例示した電線保持クランプ３０，挿入部３２，架設部３４，係合部３６，可撓片３７，取付孔２６，段差部２８等の材質，形状，寸法，形態，数，配置個所，厚さ寸法等は本発明を達成できるものであれば任意であり、限定されない。
【００３３】
【発明の効果】
以上、説明したように、本発明によれば、請求項１の電線保持クランプに記載したように、架設部が複数の電線における必要個所のみ押さえて固定するため、小型化できるとともに、従来に比較して電線の湾曲自由度が高い。
また、請求項２に記載したように、挿入部の係合部に可撓片を設けることで、取付孔は、内面に段差部を設けるだけの簡素な簡素な形状になる。
よって、電気接続箱を簡素な形状にでき、電気接続箱を樹脂成形するために用いられる金型の設備費を抑えることができる。
加えて、取付孔の内面に段差部を設けるだけなので、取付孔を小さくでき、取付孔近傍の小型化が可能になり、電気接続箱を小型化できる。
【００３４】
また、請求項３に記載したように、各係合部を架設部の長手方向に沿った方向に設けた。よって、電線保持クランプを金型（固定型および可動型）で射出成形する際に、可動型の型開き方向に対して平行に係合部を形成できる。
これにより、金型を簡素な構成にして、金型の設備費を抑えることができる。
【図面の簡単な説明】
【図１】本発明に係る電線保持クランプを備えた電気接続箱を示す斜視図である。
【図２】本発明に係る電線保持クランプを備えた電気接続箱を上方から見た状態を示す斜視図である。
【図３】本発明に係る電線保持クランプを、ワイヤハーネスを備えずに電気接続箱に取り付けた状態を示す斜視図である。
【図４】本発明に係る電線保持クランプを示す正面図である。
【図５】本発明に係る電線保持クランプを示す斜視図である。
【図６】本発明に係る電線保持クランプのその他の例を示す要部拡大図である。
【符号の説明】
１０  電気接続箱
１１  ワイヤハーネス（電線）
２５  取付面
２６  取付孔
２７  取付孔の内面
２８  段差部
３０  電線保持クランプ
３２  挿入部
３４  架設部
３６  係合部
３７  可撓片
【図１】
2004242436.tif 000003
【図２】
2004242436.tif 000004
【図３】
2004242436.tif 000005
【図４】
2004242436.tif 000006
【図５】
2004242436.tif 000007
【図６】
2004242436.tif 000008